(57)【要約】【課題】２色以上で塗装されても目地の傾斜及びそれが与える色調の変化が目立ちにくい建築板を提供する。【解決手段】建築板１は、平板部２と、前記平板部２に設けられた複数の凸部３と、を備える。前記複数の凸部３の各々は、意匠面３１と、前記意匠面３１に隣接する側面３２と、を含む。前記意匠面３１と前記側面３２との境界線４は、少なくとも直線状の境界線４１を含む。前記直線状の境界線４１に切込み５が少なくとも１つ設けられている。前記意匠面３１と、前記意匠面３１以外の部分とが塗り分けられている。【選択図】図１
2020139305.tif 000002
【特許請求の範囲】
【請求項１】
平板部と、前記平板部に設けられた複数の凸部と、を備え、
前記複数の凸部の各々は、意匠面と、前記意匠面に隣接する側面と、を含み、
前記側面に切込みが少なくとも１つ設けられており、
前記意匠面を含む部分と、前記意匠面を含む部分以外の部分とが塗り分けられている、
建築板。
【請求項２】
前記意匠面と前記側面との境界線は、少なくとも直線状の境界線を含み、
前記切込みが、前記直線状の境界線を横切るように形成されている、
請求項１に記載の建築板。
【請求項３】
前記切込みが、前記意匠面を含む部分と、前記意匠面を含む部分以外の部分との塗り分けられた境界線を横切るように形成されている、
請求項１又は２に記載の建築板。
【請求項４】
前記切込みが、前記側面から前記意匠面に向かうほど幅が狭くなる形状をなしている、
請求項１〜３のいずれか１項に記載の建築板。
【請求項５】
前記切込みが複数設けられ、
前記複数の切込みが不規則な間隔で設けられている、
請求項１〜４のいずれか１項に記載の建築板。
【請求項６】
前記切込みが複数設けられ、
隣り合う前記切込み同士の間隔が３０ｍｍ以下である、
請求項１〜５のいずれか１項に記載の建築板。
【請求項７】
前記建築板が長方形板状をなし、
前記建築板の表面には、短手方向に延びる複数の短手方向目地と、長手方向に延びる複数の長手方向目地と、があり、
前記複数の凸部は、前記複数の短手方向目地と長手方向目地とによって区切られて形成されており、
前記長手方向目地の少なくとも１本は、前記表面の長手方向全体に亘って連続して延びており、
前記凸部には、短手方向を横切るように複数の前記切込みがある、
請求項１〜６のいずれか１項に記載の建築板。
【発明の詳細な説明】
【技術分野】
【０００１】
本発明は、一般に建築板に関し、より詳細には複数の凸部を備える建築板に関する。
【背景技術】
【０００２】
特許文献１には、表面に溝状の目地が設けられたセメント組成体（基材）の仕上げ方法が開示されている。この方法は、目地塗装工程と、マスキング工程と、表面塗装工程と、マスキング材除去工程と、を有している。
【先行技術文献】
【特許文献】
【０００３】
【特許文献１】特開２０１５−１４０５２２号公報
【発明の概要】
【発明が解決しようとする課題】
【０００４】
特許文献１には、基材として押出成形セメント板を用いてもよい旨が記載されている（段落［００３７］）。押出成形セメント板は、押出成形機によりセメント成形材料を押し出しながら、ローラーで化粧目地（以下、単に「目地」といい、縦目地及び横目地などがある）を設けた後、養生硬化して得られる。ローラーの外周には、周方向に横目地用の凸部が設けられ、回転軸方向に縦目地用の凸部が設けられている。
【０００５】
しかしながら、ローラーで目地を設けながら押出成形を行う場合、例えば、押出成形セメント板の幅方向に設計上延びる目地（縦目地）が幅方向に対して若干傾斜して延びることがある。
【０００６】
本発明者は、上記の原因の１つは、セメント成形材料を押し出す場合の幅方向における流速の違いにあると考える。すなわち、押出成形機によりセメント成形材料を所定幅で押し出す場合、幅方向（押し出す方向に対して垂直な方向）における中央部の流れが、幅方向における両端部の流れに比べて速くなりやすい。つまり、所定幅のセメント成形材料の幅方向の中央部から両端部に向かうほど流速が遅くなる。これに起因して特に押出成形セメント板の幅方向における目地が押出成形セメント板の幅方向に対して若干傾斜して見えるおそれがある。
【０００７】
押出成形セメント板が単色で塗装されている場合には、目地が傾斜して見えることはあまりないが、押出成形セメント板が２色以上で塗装されている場合、特に目地の色と凸部表面の色とが異なる色の場合には、目地の傾斜が分かりやすくなる。この原因に関する本発明者の考えを、以下、図３及び図４を参照しながら説明する。
【０００８】
図３は、押出成形セメント板１０を塗装用ローラー７で塗装する様子を示している。実際には、押出成形セメント板１０の表面２０には複数の凸部３０が設けられているが、図３ではこれらの凸部３０については図示省略している。
【０００９】
図３に示すように、押出成形セメント板１０の厚さは一定ではない（厚さ方向をＴ１で示す）。押出成形セメント板１０には偏肉が発生している。偏肉とは、厚さの部分的な片寄りの現象を意味する。押出成形セメント板１０の厚さは、幅方向Ｄ１の全長で一定ではなく、幅方向Ｄ１の中央部から両端部にかけて薄くなっている。図３では、押出成形セメント板１０の表面２０を誇張して図示しているが、表面２０は幅方向Ｄ１に沿って上に凸となるように湾曲している。そのため、幅方向Ｄ１の両端部に設けられる凸部３０と、幅方向Ｄ１の中央部に設けられる凸部３０とでは、塗装用ローラー７による押込み量（Ｈ１〜Ｈ３）が異なる。
【００１０】
ここで、図４は、凸部３０の側面３２０の傾斜角度（α，β，γ）と、塗装用ローラー７の押込み量（Ｈ１〜Ｈ３）との関係を示している。より正確には、Ｈ１〜Ｈ３は、塗装用ローラー７で押出成形セメント板１０を塗装する際の、塗装用ローラー７の最下点の位置を示している。
【００１１】
例えば、側面３２０の傾斜角度がβの凸部３０が、幅方向Ｄ１に複数設けられている場合を考える。この場合において、塗装用ローラー７で押出成形セメント板１０を塗装するとき、幅方向Ｄ１の両端部から中央部にかけて、幅方向Ｄ１に設けられた凸部３０の各々に対する塗装用ローラーの押込み量は異なる。例えば、幅方向Ｄ１の両端部付近の凸部３０に対する押込み量はＨ１であり、中央部付近の凸部３０に対する押込み量はＨ３であり、両端部と中央部との間の凸部３０に対する押込み量はＨ２という具合である。このように押込み量がＨ１〜Ｈ３と変化すると、この変化に伴って、色の境界線Ｑ１、Ｑ２、Ｑ３も変化する。凸部３０の意匠面３１０と側面３２０との稜線は直線状の境界線４１０であるが、この境界線４１０から色の境界線Ｑ１、Ｑ２、Ｑ３までの距離が、塗装用ローラー７の押込み量Ｈ１、Ｈ２、Ｈ３によって変化することになる。結局、この変化が大きくなるほど、目地の傾斜及びそれが与える色調の変化が分かりやすくなり、目立ってしまう。
【００１２】
側面３２０の傾斜角度がβよりも大きいαであれば、目地の傾斜は分かりにくくなるものの、側面３２０の傾斜角度がβよりも小さいγであれば、目地の傾斜及びそれが与える色調の変化は一層分かりやすくなり、目立ってしまう。すなわち、境界線４１０から色の境界線Ｐ１、Ｐ２、Ｐ３までの距離が、塗装用ローラー７の押込み量Ｈ１、Ｈ２、Ｈ３によって大きく変化することになる。なお、上記の問題は、幅方向Ｄ１だけでなく、押出成形の押出方向（図３の紙面に垂直な方向）についても、上記と同様の問題が生じ得る。
【００１３】
本発明の目的は、２色以上で塗装されても目地の傾斜及びそれが与える色調の変化が目立ちにくい建築板を提供することにある。
【課題を解決するための手段】
【００１４】
本発明の一態様に係る建築板は、平板部と、前記平板部に設けられた複数の凸部と、を備える。前記複数の凸部の各々は、意匠面と、前記意匠面に隣接する側面と、を含む。前記側面に切込みが少なくとも１つ設けられている。前記意匠面を含む部分と、前記意匠面を含む部分以外の部分とが塗り分けられている。
【発明の効果】
【００１５】
本発明によれば、２色以上で塗装されても目地の傾斜及びそれが与える色調の変化が目立ちにくい。
【図面の簡単な説明】
【００１６】
【図１】図１は、本発明の一実施形態に係る建築板の要部の正面図である。
【図２】図２は、本発明の他の実施形態に係る建築板の要部の正面図である。
【図３】図３は、塗装前建築板を塗装用ローラーで塗装する様子を示す図である。
【図４】図４は、凸部の側面の傾斜角度と、塗装用ローラーの押込み量との関係を示す図である。
【発明を実施するための形態】
【００１７】
１．概要
本実施形態に係る建築板１は、押出成形機によりセメント成形材料を押し出しながら、目地形成用ローラーで目地６を設け、所定の大きさに切断し、養生硬化した後、塗装用ローラー７で２色以上に塗装することにより得られる。
【００１８】
図１に示すように、本実施形態に係る建築板１の特徴の１つは、側面３２に切込み５が少なくとも１つ設けられている点である。このように、側面３２が細かく分断されていることで、建築板１が２色以上で塗装されても目地６の傾斜及びそれが与える色調の変化が目立ちにくくなる。
【００１９】
２．詳細
図１に本実施形態に係る建築板１を示す。建築板１は、長方形板状をなしている。図１中のＤ１及びＤ２は直交する２方向を示す。Ｄ１は、建築板１の縦方向（押出成形の幅方向、短手方向）を示し、Ｄ２は、建築板１の横方向（押出成形の押出方向、長手方向）を示す。
【００２０】
建築板１は、外壁材等の外装材として用いられ、矩形状に形成されている。図１は、建築板１の屋外側を向く面の要部を示す。以下、この面を屋外から見た状態を平面視という場合がある。
【００２１】
建築板１は、例えばセメント成形材料で形成されている。セメント成形材料としては、例えば、セメント及び補強繊維を主成分とする材料等の公知の材料が使用可能であり、特に限定されない。
【００２２】
建築板１は、平板部２と、複数の凸部３と、を備える。複数の凸部３は、平板部２の表面に設けられている。平板部２と、複数の凸部３とは、一体に形成されている。
【００２３】
複数の凸部３は、直交する複数の目地６で区画されている。目地６は、縦目地６１と、横目地６２とを含む。このように、建築板１の表面には、複数の縦目地６１と、複数の横目地６２とがある。
【００２４】
縦目地６１は、短手方向目地６１ともいい、建築板１の縦方向Ｄ１の目地であり、建築板１の短手方向に延びている。
【００２５】
横目地６２は、長手方向目地６２ともいい、建築板１の横方向Ｄ２の目地であり、建築板１の長手方向に延びている。長手方向目地６２の少なくとも１本は、建築板１の表面の長手方向全体に亘って連続して延びている。  好ましくは、縦目地６１及び横目地６２の少なくともいずれかは、直線上に連なっていない。図１では、縦目地６１は、一本の直線上に連なっていない。横目地６２は、一本の直線上に連なっている。より具体的には、複数の横目地６２が縦方向に間隔をあけて互いにほぼ平行に延びており、各横目地６２は横方向全体にわたって直線上に連続して延びている。また、各横目地６２から横方向に間隔をあけて複数の縦目地６１が縦方向両側に延びている。そして、上記の「縦目地６１は、一本の直線上に連なっていない」とは、横目地６２から縦方向両側に延びる縦目地６１の横方向の位置が一致しないことをいう。このような目地配置によって、図１に示すように、複数の凸部３が横方向に直線上に並んで凸部列を構成し、この凸部列が縦方向に複数並んでいる。そして、縦方向に隣り合う凸部列において、一方の凸部列内の縦目地６１の横方向の位置と他方の凸部列内の縦目地６１の横方向の位置とが一致していない。ここで、「縦目地６１の横方向の位置」とは、縦目地６１の幅方向中心線の位置をいい、縦方向に隣り合う縦目地６１が横方向において一部重なる場合も含む。このように、縦目地６１が一本の直線上に連なっておらず、縦方向において分断されていることによって、一本の直線上に連なっている場合に比べて、縦目地６１の傾斜及びそれが与える色調の変化が更に目立ちにくくなる。
【００２６】
図示省略しているが、縦目地６１が一本の直線上に連なり、横目地６２が一本の直線上に連なっていなくてもよい。この場合には、横目地６２が一本の直線上に連なっていないことによって、一本の直線上に連なっている場合に比べて、横目地６２の傾斜及びそれが与える色調の変化が更に目立ちにくくなる。
【００２７】
同様に図示省略しているが、縦目地６１及び横目地６２の両方が直線上に連なっていなくてもよい。この場合には、目地６の傾斜及びそれが与える色調の変化が更に目立ちにくくなる。なお、この場合には、複数の凸部３の各々の大きさ（平面視での大きさ）が異なり得る。
【００２８】
複数の凸部３の各々は、意匠面３１と、側面３２と、を含む。意匠面３１は、矩形状の面である。図１では、意匠面３１を横長の矩形状に図示しているが、これには限定されない。意匠面３１には自然石等の様々なデザインが施されている。なお、意匠面３１と平板部２の表面との距離が目地６の深さに相当する。
【００２９】
側面３２は、意匠面３１に隣接している。側面３２は、意匠面３１の周囲に位置する。図１では、側面３２は、意匠面３１の四辺に位置している。側面３２は、平板部２の表面（目地６の底面）に対して傾斜していてもよいし、垂直であってもよい。図１では、側面３２は、目地６の底面に対して傾斜しており、傾斜面となっている。なお、目地６の幅は、隣り合う凸部３，３において、平板部２の表面と側面３２との境界線同士の距離に相当する。
【００３０】
複数の凸部３の各々について、意匠面３１と側面３２との境界線４は、少なくとも直線状の境界線４１を含む。
【００３１】
意匠面３１を含む部分と、意匠面３１を含む部分以外の部分とは塗り分けられている。「意匠面３１を含む部分」とは、少なくとも意匠面３１を含み、側面３２の一部も含み得る。「意匠面３１を含む部分以外の部分」とは、主として目地６の底面であり、側面３２の一部も含み得る。建築板１が単色で塗装されると、目地６が傾斜して見えることはあまりないが、本実施形態では、建築板１が２色以上で塗装されても、次のようにして目地６の傾斜及びそれが与える色調の変化を目立ちにくくしている。
【００３２】
すなわち、本実施形態に係る建築板１においては、側面３２に切込み５少なくとも１つ設けられている。このようにして、側面３２を分断することで、目地６の傾斜及びそれが与える色調の変化を目立ちにくくすることができる。なお、切込み５は、目地形成用ローラーで目地６を設ける場合に、目地６と一緒に設けることができる。
【００３３】
複数の凸部３が、複数の短手方向目地６１と長手方向目地６２とによって区切られて形成されている場合には、凸部３には、短手方向を横切るように複数の切込み５がある。このようにして、目地６の傾斜及びそれが与える色調の変化を目立ちにくくすることができる。
【００３４】
好ましくは、図１に示すように、直線状の境界線４１に切込み５が少なくとも１つ設けられている。そして、切込み５が、直線状の境界線４１を横切るように形成されている。このようにして、直線状の境界線４１を複数の区間に分断することで、単一の区間である場合に比べて目地６の傾斜及びそれが与える色調の変化を目立ちにくくすることができる。
【００３５】
好ましくは、図２に示すように、切込み５が、意匠面３１を含む部分（図２のドット模様の部分）と、意匠面３１を含む部分以外の部分との塗り分けられた境界線８を横切るように形成されている。これにより、塗り分けの境界線８の分断が強調されるので、目地６の傾斜及びそれが与える色調の変化が更に目立ちにくくなる。特に凸部３の側面３２の傾斜角度が低い場合であっても（例えば図４の傾斜角度がγの場合）、切込み５があることで、目地６の傾斜及びそれが与える色調の変化が目立ちにくくなる。
【００３６】
さらに好ましくは、切込み５が、側面３２から意匠面３１に向かうほど幅が狭くなる形状をなしている。これにより、凸部３の質感が自然石等の質感に近くなる。
【００３７】
矩形状の意匠面３１の少なくとも一辺において、切込み５が複数設けられている。切込み５の数は特に限定されない。好ましくは、複数の切込み５が不規則な間隔で設けられている。複数の切込み５が規則的な間隔で設けられていると、凸部３に人工的な外観を付与し得るが、複数の切込み５が不規則な間隔で設けられていることにより、凸部３の質感が自然石等の質感に更に近くなる。
【００３８】
複数の切込み５の長さ（平面視での長さ）、及び複数の切込み５の角度（平面視での目地６に対する角度）を不規則にしてもよい。これにより、凸部３の質感が自然石等の質感に更に近くなる。
【００３９】
上記のように切込み５が複数設けられている場合には、好ましくは、隣り合う切込み５，５同士の間隔が３０ｍｍ以下である。これにより、目地６の傾斜及びそれが与える色調の変化が更に目立ちにくくなる。なお、隣り合う切込み５，５同士の間隔の下限値は、特に限定されないが、例えば、１ｍｍ以上である。
【００４０】
３．変形例
上記実施形態では、凸部３が平面視で横方向に長い矩形状をなしているが、これに限定されず、平面視多角形状をなしていてもよい。この場合も、傾斜が目立ち易い縦方向又はそれに近い方向に延びる境界が分断されるように切込み５を設けるのが好ましい。
【００４１】
また、上記実施形態では、切込み５が意匠面３１側ほど幅狭となるように形成されているが、これに限定されず、意匠面３１側ほど幅広、または、幅が一定であってもよい。
【００４２】
また、上記実施形態では、切込み５が目地６の底面から意匠面３１に亘って形成されているが、境界４１を横断すればよく、たとえば側面３２の中途部から意匠面３１に亘って形成されていてもよい。
【００４３】
４．まとめ
上記実施形態から明らかなように、本発明は、下記の態様を含む。以下では、実施形態との対応関係を明示するためだけに、符号を括弧付きで付している。
【００４４】
第１の態様に係る建築板（１）は、平板部（２）と、前記平板部（２）に設けられた複数の凸部（３）と、を備える。前記複数の凸部（３）の各々は、意匠面（３１）と、前記意匠面（３１）に隣接する側面（３２）と、を含む。前記側面（３２）に切込み（５）が少なくとも１つ設けられている。前記意匠面（３１）を含む部分と、前記意匠面（３１）を含む部分以外の部分とが塗り分けられている。
【００４５】
この態様によれば、２色以上で塗装されても目地（６）の傾斜及びそれが与える色調の変化が目立ちにくい。
【００４６】
第２の態様に係る建築板（１）では、第１の態様において、前記意匠面（３１）と前記側面（３２）との境界線（４）は、少なくとも直線状の境界線（４１）を含む。前記切込み（５）が、前記直線状の境界線（４１）を横切るように形成されている。
【００４７】
この態様によれば、目地（６）の傾斜及びそれが与える色調の変化が更に目立ちにくくなる。
【００４８】
第３の態様に係る建築板（１）では、第１又は２の態様において、前記切込み（５）が、前記意匠面（３１）を含む部分と、前記意匠面（３１）を含む部分以外の部分との塗り分けられた境界線（８）を横切るように形成されている。
【００４９】
この態様によれば、目地（６）の傾斜及びそれが与える色調の変化が更に目立ちにくくなる。
【００５０】
第４の態様に係る建築板（１）では、第１〜３のいずれかの態様において、前記切込み（５）が、前記側面（３２）から前記意匠面（３１）に向かうほど幅が狭くなる形状をなしている。
【００５１】
この態様によれば、凸部（３）の質感が自然石等の質感に近くなる。
【００５２】
第５の態様に係る建築板（１）では、第１〜４のいずれかの態様において、前記切込み（５）が複数設けられている。前記複数の切込み（５）が不規則な間隔で設けられている。
【００５３】
この態様によれば、自然石等の質感に更に近くなる。
【００５４】
第６の態様に係る建築板（１）では、第１〜５のいずれかの態様において、前記切込み（５）が複数設けられている。隣り合う前記切込み（５）同士の間隔が３０ｍｍ以下である。
【００５５】
この態様によれば、目地（６）の傾斜及びそれが与える色調の変化が更に目立ちにくくなる。
【００５６】
第７の態様に係る建築板（１）では、第１〜６のいずれかの態様において、前記建築板（１）が長方形板状をなしている。前記建築板（１）の表面には、短手方向に延びる複数の短手方向目地（６１）と、長手方向に延びる複数の長手方向目地（６２）と、がある。前記複数の凸部（３）は、前記複数の短手方向目地（６１）と長手方向目地（６２）とによって区切られて形成されている。前記長手方向目地（６２）の少なくとも１本は、前記表面の長手方向全体に亘って連続して延びている。前記凸部（３）には、短手方向を横切るように複数の前記切込み（５）がある。
【００５７】
この態様によれば、目地（６）の傾斜及びそれが与える色調の変化が更に目立ちにくくなる。
【符号の説明】
【００５８】
１  建築板
２  平板部
３  凸部
３１  意匠面
３２  側面
４  境界線
４１  直線状の境界線
５  切込み
６  目地
６１  縦目地（短手方向目地）
６２  横目地（長手方向目地）
８  境界線
【図１】
2020139305.tif 000003
【図２】
2020139305.tif 000004
【図３】
2020139305.tif 000005
【図４】
2020139305.tif 000006